(57)【要約】【課題】内ブームと外ブーム間の隙間を極力小さくし、組立上の問題もなく、強度上の不具合も引き起こさず製作容易な伸縮ブームのブーム先端部上コーナ部または両側面用の摺動パッド固定装置を提供する。【解決手段】外ブーム１１と、この外ブーム１１の内側に入れ子式に嵌挿される内ブームと、前記外ブーム１１の先端部上コーナ部または両側部の内面に設けられて、前記内ブームの一部を摺動可能に支える摺動パッド２とを備える伸縮ブームの摺動パッド固定装置１において、前記摺動パッド２を保持し、前記外ブーム１１と内ブームとの隙間内にブーム前方より挿入可能に構成されたパッドキャリア３と、このパッドキャリア３を支持し、前記外ブーム１１前端の外周面に沿って設けられた襟巻き状フランジ１１ｄに固定可能に構成されたキャリア固定部４とが備えられている。【選択図】図２
2010275101.tif 000002
【特許請求の範囲】
【請求項１】
外ブームと、この外ブームの内側に入れ子式に嵌挿される内ブームと、前記外ブームの先端部上コーナ部または両側部の内面に設けられて、前記内ブームの一部を摺動可能に支える摺動パッドとを備える伸縮ブームの摺動パッド固定装置において、
前記摺動パッドを保持し、前記外ブームと内ブームとの隙間内にブーム前方より挿入可能に構成されたパッドキャリアと、
このパッドキャリアを支持し、前記外ブーム先端の外周面に沿って設けられた襟巻き状フランジに固定可能に構成されたキャリア固定部とが備えられてなることを特徴とする伸縮ブームの摺動パッド固定装置。
【請求項２】
前記パッドキャリアに前記摺動パッドの摺動部が嵌まり込む開口部が形成され、この開口部に前記摺動パッドが嵌め込まれてなることを特徴とする請求項１に記載の伸縮ブームの摺動パッド固定装置。
【請求項３】
前記摺動パッド及びパッドキャリアが、樹脂材にて単一体に形成されてなることを特徴とする請求項１に記載の伸縮ブームの摺動パッド固定装置。
【請求項４】
前記パッドキャリアと前記キャリア固定部とが、連結結合手段にて結合されてなることを特徴とする請求項１または２に記載の伸縮ブームの摺動パッド固定装置。
【請求項５】
前記摺動パッド、パッドキャリア及びキャリア固定部が、樹脂材にて単一体に形成されてなることを特徴とする請求項１に記載の伸縮ブームの摺動パッド固定装置。
【発明の詳細な説明】
【技術分野】
【０００１】
本発明は、ホイールクレーン等の旋回自在な上部旋回体に起伏可能に装着され、先端に摺動パッドを備える入れ子式伸縮ブームのブーム前端用の摺動パッド固定装置に関する。
【背景技術】
【０００２】
ホイールクレーン等の自走式クレーンの上部旋回体に起伏自在に搭載される伸縮ブーム（以下、単にブームとも言う）は、外ブームと、この外ブームの内側に入れ子式に嵌挿される内ブームとを少なくとも１組備えている。この様なブーム断面には様々な形状が存在するが、その中で２枚の長尺鋼板をＵ字状にプレス曲げし、上下は突き合わせて箱型をなすプレス曲げブームが現在は主流である。上記プレス曲げブームは座屈荷重を向上させるため、下板は半円形断面形状を代表に、大きな円弧状に概略Ｕ字状に形成するのが良い。一方、上板は断面二次モーメントを増大させるために、下板に比べて小さな半径で曲げられ概略コの字状に形成され、角部に曲面を配した構成とすることが一般的である。
【０００３】
箱型ブームは、断面の大きなブームの内部に次第に断面が小さいブームを順次嵌挿し、それらを伸縮自在としている。ブーム伸縮時は、外ブームと内ブームとの間の隙間に設けられた摺動パッドに支持され、スムーズに伸縮することを可能としている。前記伸縮パッドは、各段のブームの後端外側と先端内側の夫々上部、下部に配設される。内ブーム後端外側に取付けられた摺動パッドは、外ブームとの摺動面を形成する一方、外ブーム先端内側に取付けられた摺動パッドは、内ブームとの摺動面を形成する。
【０００４】
入れ子式ブームにおいて、嵌挿された内ブームは伸長時、完全に外ブームから出て来るのではなく、後端に一部重なり代を残して吊荷作業に供される。前記重なり代においては、外ブーム先端内側下部に取付けられた摺動パッドと、内ブーム後端外側上部に取付けられた摺動パッドとで吊荷重が伝達される。一方、外ブーム先端部上コーナ部または両側部の内面に取付けられた摺動パッドと、内ブーム後端外側下部に取付けられた摺動パッドは吊荷重の伝達には関係なく、風を受けた場合等の横荷重の伝達、ブーム伸縮時の調芯作用等副次的な意味合いが大きい。
【０００５】
ブームを工場内で組立てる際、外ブーム先端内側上コーナ部や側面に取付けられた摺動パッドは、上方隙間と側方隙間とを調整してセンタリングするための隙間調整機能が付与されることが多い。即ち、各ブームの製造誤差を吸収して外ブームに対する内ブームの彫芯位置決めのために、隙間調整可能に構成されている。そして、外ブーム先端下部の摺動パッドの外面には、調芯位置決め後に生じた隙間に応じた厚みのシムを挿入することにより調整して内ブームに密着させることにより、初期状態で隙間がなくなることで、吊荷重時の変形を抑制する様にしている。
【０００６】
ブームは吊荷重を受けたときに変形するが、変形を抑制するためにはなるべくブーム断面を大きく取り、断面二次モーメントを上げることが効果的である。そのために、外ブームと内ブーム間の摺動パッドが入る隙間は、なるべく小さくした方が良い。一方で、摺動パッドはブーム伸縮時に、ブームとの摩擦力によりブーム軸線に沿って動かない様に、ブームに固定する必要がある。
【０００７】
この様な摺動パッド固定に関する従来技術につき、以下添付図５を参照しながら説明する。図５は従来技術１に係る伸縮ブーム支持構造を示す側面図である。
【０００８】
先ず、摺動パッドの高さ調整を必要とする外ブーム前端パッドについて言えば、ブームに摺動パッドを固定する従来例としては、ブームの一部に摺動パッドを固定する領域を設ける従来技術１（特許文献１参照）や、外ブームの内面にストッパを設けて固定する従来技術２（特許文献２参照）が提案されている。
【０００９】
しかし、前記従来技術１では、ブーム軸線方向の一部を摺動パッドの固定領域として空けなくてはならず、その結果として図５に示す如く、下パッドと上パッドの間にブーム軸線方向のオフセツトＬが生じて強度上不利となる。また、前記従来技術２によれば、ブーム組立の際に、内ブーム後端部の摺動パッドが、当該ストッパを回避して挿入されなければならず、例えば、内ブーム後端部のパッドと外ブーム内面の隙間を大きく取り、通常状態で前記ストッパを回避するための隙間が確保される構成にする必要がある。
【００１０】
一方、ブーム下側の下パッドに関しては、後端パッドを避ける位置にストッパを設ける従来技術３（特許文献３参照）により解決可能であるが、上パッドは内ブーム後端パッドと外ブーム先端パッドがお互い完全にラップしており、避けてストッパを設けることは困難である。
【先行技術文献】
【特許文献】
【００１１】
【特許文献１】特開平１１−１３０３７８号公報
【特許文献２】特開２００５−２５５３３７号公報
【特許文献３】特開２００７−２１０７１５号公報
【発明の開示】
【発明が解決しようとする課題】
【００１２】
従って、本発明の目的は、内ブームと外ブーム間の隙間を極力小さくし、組立上の問題もなく、強度上の不具合も引き起こさず製作容易な伸縮ブームの摺動パッド固定装置を提供することである。
【課題を解決するための手段】
【００１３】
上記課題を解決するために、本発明の請求項１に係る伸縮ブームの摺動パッド固定装置が採用した手段は、外ブームと、この外ブームの内側に入れ子式に嵌挿される内ブームと、前記外ブームの先端部上コーナ部または両側部の内面に設けられて、前記内ブームの一部を摺動可能に支える摺動パッドとを備える伸縮ブームの摺動パッド固定装置において、前記摺動パッドを保持し、前記外ブームと内ブームとの隙間内にブーム前方より挿入可能に構成されたパッドキャリアと、このパッドキャリアを支持し、前記外ブーム先端の外周面に沿って設けられた襟巻き状フランジに固定可能に構成されたキャリア固定部とが備えられてなることを特徴とするものである。
【００１４】
本発明の請求項２に係る伸縮ブームの摺動パッド固定装置が採用した手段は、請求項１に記載の伸縮ブームの摺動パッド固定装置において、前記パッドキャリアに前記摺動パッドの摺動部が嵌まり込む開口部が形成され、この開口部に前記摺動パッドが嵌め込まれてなることを特徴とするものである。
【００１５】
本発明の請求項３に係る伸縮ブームの摺動パッド固定装置が採用した手段は、請求項１に記載の伸縮ブームの摺動パッド固定装置において、前記摺動パッド及びパッドキャリアが、樹脂材にて単一体に形成されてなることを特徴とするものである。
【００１６】
本発明の請求項４に係る伸縮ブームの摺動パッド固定装置が採用した手段は、請求項１または２に記載の伸縮ブームの摺動パッド固定装置において、前記パッドキャリアと前記キャリア固定部とが、連結結合手段にて結合されてなることを特徴とするものである。
【００１７】
本発明の請求項５に係る伸縮ブームの摺動パッド固定装置が採用した手段は、請求項１に記載の伸縮ブームの摺動パッド固定装置において、前記摺動パッド、パッドキャリア及びキャリア固定部が、樹脂材にて単一体に形成されてなることを特徴とするものである。
【発明の効果】
【００１８】
本発明の請求項１に係る伸縮ブームの摺動パッド固定装置によれば、外ブームと、この外ブームの内側に入れ子式に嵌挿される内ブームと、前記外ブームの先端部上コーナ部または両側部の内面に設けられて、前記内ブームの一部を摺動可能に支える摺動パッドとを備える伸縮ブームの摺動パッド固定装置において、前記摺動パッドを保持し、前記外ブームと内ブームとの隙間内にブーム前方より挿入可能に構成されたパッドキャリアと、このパッドキャリアを支持し、前記外ブーム先端の外周面に沿って設けられた襟巻き状フランジに固定可能に構成されたキャリア固定部とが備えられてなるので、内ブームを外ブームに組み付けた後に、ブーム前方から前記パッドキャリアと摺動パッドとを一体的に装着できるため、ブーム組立性に影響を及ぼさない。
【００１９】
また、ブーム外面にパッドキャリアが露出しないので、パッドキャリア専用の領域をブームに設ける必要がなく、従来技術１における下パッドと上パッドとの間におけるブーム軸線方向のオフセット量Lを必要最小限に小さくすることができる（この必要最小限とはブーム背面に沿わせる巻上ロープのガイドローラ支持支柱を設置する為に必要な幅であり、図１に概念的に示すようなオフセット量L’にすることができる。）それ故、従来技術に比較して明らかに強度上有利な構成とすることができる。更に、ブーム内面にストッパを設ける必要もないため、内ブーム後端の摺動パッドは外ブーム内面に密着した構成を取れ、ブーム全体の吊荷重時変形量を抑制することができる。
【００２０】
また、本発明の請求項２に係る伸縮ブームの摺動パッド固定装置によれば、前記パッドキャリアに前記摺動パッドの摺動部が嵌まり込む開口部が形成され、この開口部に前記摺動パッドが嵌め込まれてなるので、ブーム間の隙間を狭くできる。そのため、ブーム断面を大きく取ることができ、ブーム全体の吊荷重時変形量を抑制可能となる。また、摺動パッドの交換も極めて容易である。
【００２１】
更に、本発明の請求項３に係る伸縮ブームの摺動パッド固定装置によれば、前記摺動パッド及び前記パッドキャリアが、樹脂材にて単一体に形成されてなるので、部品点数を減らせる上、ブーム間の隙間をより狭くすることができる。その結果、ブーム断面をより大きく取ることができ、ブーム全体の吊荷重時変形量をより抑制可能となる。
【００２２】
また更に、本発明の請求項４に係る伸縮ブームの摺動パッド固定装置によれば、前記パッドキャリアと前記キャリア固定部とが連結結合手段にて結合されてなるので、安価な市販品を活用して簡便に構成できる。
【００２３】
一方、本発明の請求項５に係る伸縮ブームの摺動パッド固定装置によれば、前記摺動パッド、パッドキャリア及びキャリア固定部が、樹脂材にて単一体に形成されてなるので、部品点数を更に削減できる上、ブーム間の隙間を限界まで狭くすることができる。その結果、ブーム断面を更に大きく取ることができ、ブーム全体の吊荷重時変形量を更に抑制可能となる。
【図面の簡単な説明】
【００２４】
【図１】本発明の実施の形態１に係る摺動パッド固定装置を備えた伸縮ブームを示し、図（ａ）はその模式的側面図、図（ｂ）は図（ａ）のＡ−Ａ線断面図である。
【図２】本発明の実施の形態１に係る伸縮ブームの摺動パッド固定装置を示し、図（ａ）は外ブーム先端部を斜め下方から見た斜視面、図（ｂ）は図（ａ）の摺動パッド固定装置を拡大して示す部分拡大図である。
【図３】本発明の実施の形態２に係る伸縮ブームの摺動パッド固定装置を示す斜視図である。
【図４】本発明の実施の形態３に係る伸縮ブームの摺動パッド固定装置を示す斜視図である。
【図５】従来技術１に係る伸縮ブーム支持構造を示す側面図である。
【発明を実施するための最良の形態】
【００２５】
以下、本発明の実施の形態１に係る伸縮ブームの摺動パッド固定装置を、外ブーム先端の上パッド固定装置に適用した態様例として、添付図１，２を参照しながら説明する。
【００２６】
図１は本発明の実施の形態１に係る摺動パッド固定装置を備えた伸縮ブームを示し、図（ａ）はその模式的側面図、図（ｂ）は図（ａ）のＡ−Ａ線断面図、図２は本発明の実施の形態１に係る伸縮ブームの摺動パッド固定装置を示し、図（ａ）は外ブーム先端部を斜め下方から見た斜視面、図（ｂ）は図（ａ）の摺動パッド固定装置を拡大して示す部分拡大図である。
【００２７】
本発明の実施の形態１に係る摺動パッド固定装置は、下部走行体と、この下部走行体の上に旋回可能に搭載される上部旋回体を有する図示しないホイールクレーン等の自走式クレーンの前記上部旋回体の前部に起伏自在に支持され、俯仰シリンダの伸縮により起伏されて吊荷を吊持する伸縮ブーム１０に、後述する如く取付けられている。この伸縮ブーム１０は、外ブーム１１と、この外ブーム１１の内側に入れ子式に嵌挿される内ブーム１２と、前記外ブーム１１の先端部内面に設けられて前記内ブーム１２を摺動可能に支える後述の摺動パッド２とを備えている。
【００２８】
前記外ブーム１１の長手方向と直交する方向に切断した横断断面における背面側の上部側半部に半箱型部１１ａが形成され、その腹面側の下部側半部に円弧部１１ｂが形成されると共に、前記半箱型部１１ａの下端部と前記円弧部１１ｂの上端部とは平板部１１ｃで連ねられている。また、前記内ブーム１２の長手方向と直交する方向に切断した横断断面における背面側の上部側半部に半箱型部１２ａが形成され、その腹面側の下部側半部に円弧部１２ｂが形成されると共に、前記半箱型部１２ａの下端部と前記円弧部１２ｂの上端部とは平板部１２ｃで連ねて構成されている。
【００２９】
そして、本発明の実施の形態１に係る摺動パッド固定装置１は、図２に示す如く、摺動パッド２を保持する鋼板からなるパッドキャリア３と、このパッドキャリア３を支持し、前記外ブーム１１先端の外周面に沿って設けられた襟巻き状フランジ１１ｄに固定可能に構成されたキャリア固定部４とが備えられている。前記パッドキャリア３には、この摺動パッド２の厚さの一部を収納する開口部が形成されており、この開口部に前記摺動パッド２を埋め込んで構成されている。
【００３０】
従って、このように構成された前記摺動パッド固定装置１は、前記外ブーム１１とこの内側に組み付けられた図示しない内ブーム１２との間の隙間内に、ブーム１０前方より挿入可能となる。そして、前記パッドキャリア３の上面に直立して溶接接合されたキャリア固定部４にはボルト穴４ａが設けられ、これらのボルト穴４ａに挿入された図示しないボルトを、襟巻き状フランジ１１ｄの対応する位置に形成されたネジ孔に螺合締結して、前記摺動パッド固定装置１が外ブーム１１に固定される。
【００３１】
前記摺動パッド固定装置１の外ブーム１１への固定方法は、キャリア固定部４に設けられたボルト穴４ａに挿入された図示しないボルトを、襟巻き状フランジ１１ｄの対応する位置に形成されたボルト穴に挿入しナットと螺合締結しても良い。一方、前記摺動パッド２は耐摩耗性と適度な剛性が必要であり、例えばポリアミド樹脂等の樹脂材料を用いるのが好適である。
【００３２】
この様な構成によって、前記摺動パッド固定装置１は、上述した様に外ブーム１１の内側に内ブーム１２を組み付けた後に、これら外ブーム１１と内ブーム１２との間の隙間内に、パッドキャリア３をブーム１０前端より挿入して装着可能となる。また、摺動パッド２がパッドキャリア３を介して外ブーム１１に固定されるため、前記摺動パッド２を固定するストッパをブームに設ける必要がなく、ブーム内面の干渉物をなくすことができる。更に、外ブーム１１と内ブーム１２との隙間を狭くできるため、内外ブーム１１，１２断面を大きく取ることができ、ブーム１０全体の吊荷重時変形量を更に抑制できる。
【００３３】
また、本発明の実施の形態１に係る摺動パッド固定装置1によれば、摺動パッド２の内ブーム１２との当り面２ａが周方向に湾曲形状をなす様に、前記パッドキャリア３のパッド保持面が形成されると共に、このパッド保持面に摺動パッド２が取り付けられて、摺動パッド２の当り面２ａが、略全面に渡り内ブーム１２と接触可能に形成されるのが好ましい。この様な構成によって、前記摺動パッド２が内ブーム１２とスムーズに摺動可能となる。ここで、前記摺動パッド２の当り面２ａが、「略全面に渡り内ブーム１２と接触可能」とは、前記当り面２ａが全摺動面の９０％以上に渡り内ブーム１２と接触可能な状態を言う。
【００３４】
以上、本発明の実施の形態１に係る伸縮ブームの摺動パッド固定装置によれば、摺動パッドを保持し、外ブームと内ブームとの隙間内にブーム１０前方より挿入可能に構成されたパッドキャリア３と、このパッドキャリア３を支持し、前記外ブーム１１前端の外周面に沿って設けられた襟巻き状フランジ１１ｄに固定可能に構成されたキャリア固定部４とが備えられてなるので、内ブーム１２を外ブーム１１に組み付けた後に、ブーム１０前方から前記パッドキャリア３と摺動パッド２とを一体的に装着でき、ブーム１０の組立性に影響を及ぼさない。
【００３５】
次に、本発明の実施の形態２に係る伸縮ブームの摺動パッド固定装置を、添付図３を参照しながら説明する。図３は、本発明の実施の形態２に係る伸縮ブームの摺動パッド固定装置を示す斜視図である。
【００３６】
但し、本発明の実施の形態２が上記実施の形態１と相違するところは、摺動パッド固定装置を構成する摺動パッドの一部とパッドキャリアに相違があり、この相違以外は上記実施の形態１と全く同構成であるから、上記実施の形態１と同一のものに同一符号を付して、以下その相違する点について説明する。
【００３７】
即ち、上記実施の形態１においては、伸縮ブームの摺動パッド固定装置は、摺動パッド２を保持するパッドキャリア３と、このパッドキャリア３を支持し、前記外ブーム１１先端の外周面に沿って設けられた襟巻き状フランジ１１ｄに固定可能に構成されたキャリア固定部４とが備えられる一方、前記パッドキャリア３には、この摺動パッド２の厚さの一部を収納する開口部が形成されており、この開口部に前記摺動パッド２が埋め込まれていた。
【００３８】
これに対し、本発明の実施の形態２においては、摺動パッド２とパッドキャリア３とが樹脂材によって、第１単一体７として形成されている。前記樹脂材には、耐摩耗性と適度な剛性が必要であり、前記第１単一体７は、例えばポリアミド樹脂等を削り出しもしくは成型によって一体的に形成されるのが好ましい。そして、前記第１単一体７の幅方向（ブーム軸線方向）に複数の貫通孔７ａが設けられている。
【００３９】
一方、キャリア固定部４における前記貫通孔７ａ該等位置にも、ボルト孔４ｂが設けられ、ボルト５を前記ボルト孔４ｂから貫通孔７ａに挿入して、その先端側をナット６と螺合して、或いはまた、前記第１単一体７の貫通孔７ａがネジ孔７ｂに形成され、前記ボルト５が、この第１単一体７に設けられたネジ孔７ｂと螺合して、前記第１単一体７とキャリア固定部４とが結合可能に形成されている。
【００４０】
この様な構成によって、前記摺動パッド固定装置１は、摺動パッド２とパッドキャリア３とが第１単一体７として形成されたので、外ブーム１１とこの外ブーム１１の内側に内ブーム１２を組み付けた後に、これら外ブーム１１と内ブーム１２との間の隙間内にブーム１０前方より容易に挿入可能となる。また、パッドキャリア３が摺動バッド２と一体化されたので部品点数を削減できる。
【００４１】
また、この様な構成によって、摺動パッドの交換の際は、前記第１単一体７ごと交換すれば良いのでメンテナンスがし易くなる。前記第１単一体７とキャリア固定部４、キャリア固定部４と外ブーム１１の襟巻き状フランジ１１ｄとのボルト固定は、前記第１単一体７の位置調整を完了した後行うことによって、第１単一体７の位置ずれによるボルト５への過大な負荷を防止することができる。
【００４２】
次に、本発明の実施の形態３に係る伸縮ブームの摺動パッド固定装置を、添付図４を参照しながら説明する。図４は、本発明の実施の形態３に係る伸縮ブームの摺動パッド固定装置を示す斜視図である。
【００４３】
但し、本発明の実施の形態３が上記実施の形態１と相違するところは、摺動パッド固定装置を構成するキャリア固定部を除く全てに相違があり、この相違以外は上記実施の形態１と全く同構成であるから、上記実施の形態１と同一のものに同一符号を付して、以下その相違する点について説明する。
【００４４】
即ち、上記実施の形態１においては、伸縮ブームの摺動パッド固定装置１は、摺動パッド２を保持するパッドキャリア３と、このパッドキャリア３を支持し、前記外ブーム１１先端の襟巻き状フランジ１１ｄに固定可能に構成されたキャリア固定部４とが備えられていたのに対し、本発明の実施の形態３においては、摺動パッド２とパッドキャリア３とが共に一体化され、更にボルト孔４ａを有するキャリア固定部４とも一体化されて、樹脂材からなる第２単一体８が形成されている。
【００４５】
前記実施の形態２と同様、前記樹脂材には耐摩耗性と適度な剛性を要し、前記第２単一体８は、例えばポリアミド樹脂等を削り出しもしくは成型によって一体的に形成されるのが好ましい。この様な構成とした結果、部品点数が更に削減されると共に、内外ブーム１１，１２間の隙間を限界まで狭くすることができる。その結果、内外ブーム１１，１２の断面を更に大きく取ることができ、ブーム１０全体の吊荷重時変形量を最小限に抑制可能となる。
【００４６】
以上説明した通り、本発明に係る伸縮ブームの摺動パッド固定装置によれば、内ブームを外ブームに組み付けた後に、ブーム前方から前記パッドキャリアと摺動パッドとを一体的に装着できるため、ブーム組立性に影響を及ぼさない。また、ブーム外面にパッドキャリアが露出しないので、パッドキャリア専用の領域をブームに設ける必要がなく、強度上不利な構成をとる必要がない。更に、ブーム内面にストッパを設ける必要もないため、内ブーム後端の摺動パッドは外ブーム内面に密着した構成を取れ、ブーム全体の吊荷重時変形量を抑制することができる。
【００４７】
尚、以上の実施の形態１乃至３に係る伸縮ブームの摺動パッド固定装置は、ホイールクレーン用に限るものではなく、例えば、クレーン操作用の運転室と走行操作用の運転室とを備えたトラッククレーン用や、履帯式の走行台車を備えた履帯走行式クレーン用の伸縮ブームに対しても適用することができ、伸縮ブームの形状についても、箱型ブームや楕円ブーム等に限定するものではない。
【００４８】
また、上記実施の形態１乃至３に係る伸縮ブームの摺動パッド固定装置においては、
摺動パッド固定装置が、外ブーム先端上部に装着されている場合を態様例として説明したが、外ブーム先端側部に装着される摺動パッド固定装置に対しても本発明の技術的思想を適用することができる。
【００４９】
即ち、以上の実施の形態１乃至３に係る伸縮ブームの摺動パッド固定装置は何れも具体例に過ぎないから、上記実施の形態１乃至３に係る伸縮ブームの摺動パッド固定装置の構成に限定されるものではなく、本発明の技術的思想を逸脱しない範囲内における設計変更等は自由自在である。
【符号の説明】
【００５０】
１…摺動パッド固定装置，
２…摺動パッド，      ２ａ…当り面，
３…パッドキャリア，
４…キャリア固定部，  ４ａ，４ｂ…ボルト孔，
５…ボルト，          ６…ナット，
７…第１単一体，      ７ａ…貫通孔，      ７ｂ…ネジ孔，
８…第２単一体，
１０…伸縮ブーム，
１１…外ブーム，    １１ａ…半箱型部，    １１ｂ…円弧部，    １１ｃ…平板部，
１１ｄ…襟巻き状フランジ，
１２…内ブーム，    １２ａ…半箱型部，    １２ｂ…円弧部，    １２ｃ…平板部
【図１】
2010275101.tif 000003
【図２】
2010275101.tif 000004
【図３】
2010275101.tif 000005
【図４】
2010275101.tif 000006
【図５】
2010275101.tif 000007